(57)【要約】被加工物の検査および／または測定のための、機能試験プラットフォーム（５０）上に少なくとも１つの非接触センサ（５２）を含む方法および機械である。機能試験プラットフォーム上に少なくとも１つの非接触センサを含むことによって、２つの機械プラットフォームが単一の機械に組み合わされ、ユーザに、機能的および分析的である両方の方法の測定特性を提供し、大幅なサイクルタイムおよび大幅なスペースを節約する。
2021500542.tif 000002
【特許請求の範囲】
【請求項１】
歯車または他の歯付き物品を含む歯付き被加工物のための測定機械であって、前記被加工物が、複数の歯を有し、前記歯の各々が、一対の歯フランク面を有し、前記機械が、
マスター歯車または噛み合い歯車と共に噛み合って、歯付き被加工物を転がすように動作可能である機能測定機構と、
前記歯付き被加工物の歯面の少なくとも一部をプロファイル方向および面幅方向のうちの少なくとも一方にスキャンするように動作可能である少なくとも１つの非接触センサを含む分析測定機構と、を備える、測定機械。
【請求項２】
前記少なくとも１つの非接触センサが、少なくとも１つのレーザを含む、請求項１に記載の測定機械。
【請求項３】
前記少なくとも１つの非接触センサが、最大３つの相互に垂直である直線方向に移動可能である、請求項１に記載の測定機械。
【請求項４】
前記少なくとも１つの非接触センサが、前記直線方向の各々の周りを回転可能に移動可能である、請求項３に記載の測定機械。
【請求項５】
前記分析測定機構が、前記被加工物の前記歯のインデックス、プロファイル、およびリード特性のうちの少なくとも１つに関して被加工物測定値を提供するように動作可能である、請求項１に記載の測定機械。
【請求項６】
前記被加工物測定値が、前記プロファイル方向に前記歯面の一部に沿って前記歯をスキャンすることを介して取得される、請求項５に記載の測定機械。
【請求項７】
前記被加工物測定値が、前記面幅方向に前記歯面の一部に沿って前記歯をスキャンすることを介して取得される、請求項５に記載の測定機械。
【請求項８】
前記機械上に設置された少なくとも２つの非接触センサを備え、前記少なくとも２つの非接触センサが、前記一対の歯フランク面のうちの一方に配向されている、請求項１に記載の測定機械。
【請求項９】
前記機能測定機構および前記分析測定機構が、互いに同時に、または互いに独立して動作可能である、請求項１に記載の測定機械。
【請求項１０】
前記機能測定機構により生成される機能出力データ、および前記分析測定機構により生成される分析出力データを備え、前記機能出力データおよび前記分析出力データが、シングルプラットフォーム測定データを提供するように組み合わせられる、請求項１に記載の測定機械。
【請求項１１】
前記機能測定機構が、シングルフランク試験およびダブルフランク試験のうちの少なくとも一方のために動作可能であるロール試験機を含む、請求項１に記載の測定機械。
【請求項１２】
測定機械上の歯付き被加工物を測定する方法であって、前記被加工物が、歯車または他の歯付き物品を備え、前記被加工物が、複数の歯を有し、前記歯の各々が、一対の歯フランク面を有し、前記方法が、
マスター歯車または噛み合い歯車と共に噛み合って、歯付き被加工物を転がすように動作可能である機能測定機構と、前記歯付き被加工物の歯面の少なくとも一部をプロファイル方向および面幅方向のうちの少なくとも一方にスキャンするように動作可能である少なくとも１つの非接触センサを含む分析測定機構と、を有する測定機械を提供することと、
前記被加工物の前記歯の特性に関して被加工物測定値を提供するように、前記分析測定機構を使って前記被加工物をスキャンすることと、を含む、方法。
【請求項１３】
前記歯の前記特性が、インデックス、プロファイル、リード、歯厚、歯車の歯の角度位置、先端および／もしくは歯底の直径、ならびに面取り幅のうちの少なくとも１つを含む、請求項１２に記載の方法。
【請求項１４】
単一の非接触センサを設けることと、
前記被加工物を回転させながら同時に、前記歯の前記面幅方向の一部に沿って前記被加工物に対して前記単一のセンサを移動させることと、
前記単一のセンサからの出力を生成させることと、
前記出力から前記被加工物の前記リード特性を判定することと、を含む、請求項１２に記載の方法。
【請求項１５】
前記出力から前記被加工物のインデックスおよびプロファイル特性を判定することをさらに含む、請求項１４に記載の方法。
【請求項１６】
少なくとも２つの非接触センサを設けることと、
前記少なくとも２つの非接触センサを位置決めすることであって、それによって、前記歯の前記面幅方向の一部が、スキャンされることができる、位置決めすることと、
前記被加工物を回転させながら同時に前記歯をスキャンすることと、
前記少なくとも２つの非接触センサからの出力を生成させることと、
前記出力から前記被加工物の前記リード特性を判定することと、を含む、請求項１２に記載の方法。
【請求項１７】
前記出力から前記被加工物のインデックスおよびプロファイル特性を判定することをさらに含む、請求項１６に記載の方法。
【請求項１８】
少なくとも１つの非接触センサを設けることと、
前記被加工物に関して前記少なくとも１つの非接触センサを位置決めすることであって、それによって、前記歯の前記歯プロファイル表面の一部が、スキャンされることができる、位置決めすることと、
前記歯をスキャンすることと、
前記少なくとも２つの非接触センサからの出力を生成させることと、
前記出力から前記被加工物の前記インデックスおよびプロファイル特性を判定することと、を含む、請求項１２に記載の方法。
【請求項１９】
前記非接触センサと、前記被加工物に関する間との前記位置決めすることが、前記スキャン中に変化する、請求項１８に記載の方法。
【請求項２０】
マスター歯車または噛み合い歯車と共に噛み合って、歯付き被加工物を転がすことと、
前記機能測定機構による機能出力データを生成し、かつ前記分析測定機構による分析出力データを生成することと、
シングルプラットフォーム測定データを提供するように、前記機能出力データおよび前記分析出力データを組み合わせることと、をさらに含む、請求項１２に記載の方法。
【請求項２１】
前記機能測定機構および前記分析測定機構が、互いに同時に、または互いに独立して動作可能である、請求項１２に記載の方法。
【発明の詳細な説明】
【技術分野】
【０００１】
本発明は、歯車および他の歯付き物品を含む被加工物の測定に関し、特に、機能測定プラットフォーム上で１つ以上の非接触センサを利用するそのような測定、および単一のプラットフォーム上での分析試験結果ならびに機能試験結果の生成に関する。この分析および機能測定は、同時に、または互いに独立して実行されることができ、それによって、一方または両方の測定方法を選択する自由をユーザに与えることができる。
【背景技術】
【０００２】
長年にわたり、歯車、および歯車と同じような被加工物（例えば、円筒歯車および傘歯車、ウォーム）の寸法検査（すなわち、測定）は、おおむね２つの異なる手法、すなわち、（１）歯車または他の歯付き被加工物を既知のマスター歯車または噛み合い歯車と共に噛み合わせることを含む機能試験、および（２）座標測定機械（ＣＭＭ）、または出願人により製造された歯車測定機械のＧＭＳラインなどの歯車測定機械（ＧＭＭ）を使用した分析試験によって、実行されてきた。
【０００３】
機能試験は、被加工物の測定値をマスター歯車または噛み合い歯車に対して比較する。例えば、図１に示すように、代表的なダブルフランク歯車ロール試験機械において、被加工物（例えば、円筒歯車）は、既知のマスター部品（例えば、円筒歯車）と噛み合わされて回転される。歯車のうちの一方は、固定軸上に取り付けられ、他方は、浮動軸上に取り付けられる。軸と軸との間の直線変位は、２つの歯車が回転されているときに、測定される。中心距離の変動などの、この機能試験からの複合的な誤差が報告され、必要とされる公差に対して比較される。また、このようなロール試験機は、歯厚およびオーバーピン径（ＤＯＰ）などの歯車の歯のサイズに関する特性も報告することが可能である。
【０００４】
歯車用機能試験プラットフォーム（すなわち、ロール試験機）には、ダブルフランク試験機およびシングルフランク試験機として知られているそれらの試験機が含まれる。シングルフランク試験を用いると、噛み合い歯車は、バックラッシュを伴い、かつ唯一のフランクが接触した状態で、噛み合い歯車の適正な（固定された）中心距離において一緒に転がる。歯車は、２つ一組になって、またはマスター歯車と共に試験することができる。ダブルフランク試験を用いると、噛み合い歯車は、両方のフランク上で接触を引き起こす厳格な噛み合いで一緒に回転される。被加工歯車は、マスター歯車と共に噛み合わされる。プラットフォーム上に様々なエンコーダを設けることによって、歯車誤差の集合または集計を構成する、歯車の相対的な移動（すなわち、中心距離の変動）が、取り込まれる。ダブルフランク試験機を使用して測定された誤差のいくつかは、下記である。
●Ｆｉ／Ｔｃｖ（総複合変動、または総中心距離変動）
●ｆｉ（歯間誤差）
●平均ＤＯＰ（オーバーピン平均寸法）
●平均円歯厚（中心距離の変化量から判定される）
●最小および最大ＤＯＰ
●最小および最大円歯厚
【０００５】
上述のように、歯車の分析試験は、通常、ＧＭＭまたはＣＭＭによって行われる。これらの機械は、コンピュータ制御された装置を備え、その装置は、高解像度タッチセンサ（すなわち、触覚）プローブを含み、ダブルフランク試験機などの機能試験機で示されるように、誤差集合に対する個々の歯車製造誤差を識別するために使用される。歯車被加工物を測定するための分析機械の一例を図２に示す。触覚プローブを利用するこのような器具は、一般に、例えば、多くの種類の試験片特徴（例えば、歯車の歯、部品データ、ジャーナル）の形状、場所、および関係を判定するために使用される。
分析機械を使用して円筒歯車（すなわち、平歯車およびはすば歯車）に関して測定される最も共通する特性のいくつかは、以下を含む（ただし、これらに限定されない）。
●インデックス（間隔）誤差
●リード（つる巻き線）誤差
●プロファイル（インボリュート）誤差
●歯厚
●歯車シャフト上のキー溝などの既知の特徴に関して、ある歯車の歯の、別の歯車の歯に対する角度位置
●歯トポグラフィ
●うねり
●先端および／または歯底の直径
●面取り幅
【０００６】
分析機械を使用して傘歯車（すぐば傘歯車、はすば歯車、およびハイポイド歯車を含む）に関して測定される最も共通する特性のうちのいくつかは、以下を含む（ただし、これらに限定されない）。
●インデックス（間隔）誤差
●歯車面上に定義された点（例えば、予め定義された場所の４５箇所）での理論上の場所からの偏差
●局所的測定値
●うねり
【０００７】
ＣＭＭ上での非接触法によって、ある特定の部分を測定することも既知である。歯車などの被加工物の光学的（例えば、レーザ）測定および／または検査は、例えば、ＰｒｙｏｒらのＵＳ４，５４７，６７４に開示されている。しかしながら、そのような光学的な方法を使って、歯、ならびに基準点（例えば、ピッチ点および歯の縁端部）を見つけ出すことは、極めて時間がかかり、接触プローブほど再現性がない。また、非接触プローブを用いたある特定の特徴の精度は、触覚プローブと比較すると、限界がある。
【０００８】
近年、本出願人は、以前に光プローブのみを使用して判定された歯車のそれらの特性を測定するために、光プローブと組み合わせたタッチプローブを含むＧＭＭを導入した。
【発明の概要】
【０００９】
本発明は、被加工物の検査および／または測定のための機能試験プラットフォーム上に少なくとも１つの非接触センサを含む方法および機械に関する。機能試験プラットフォーム上に少なくとも１つの非接触センサを含むことにより、２つの機械プラットフォームを単一の機械に組み合わされ、ユーザに、機能的かつ分析的である両方の方法の測定特性を提供し、大幅なサイクル時間、および大幅なスペースを節約する。
【図面の簡単な説明】
【００１０】
【図１】標準的なロール試験機械（機能試験機）を示す図である。
【図２】既知の種類の歯車測定機械（分析試験機）を例証する図である。
【図３】噛み合いながら転がる２つの歯車、およびそれらの歯車のうちの一方の非接触検査を示す、本発明の機械の正面図である。
【図４】図３の一部を検査する非接触センサの拡大図である。
【図５】図３の機械の上面図である。
【図６】図３〜５の改良版の上面図であり、複数の非接触センサが示されている。
【発明を実施するための形態】
【００１１】
本明細書で使用される「発明」、「本発明」、および「本発明」という用語は、この明細書の主題のすべて、および以下の任意の特許請求の範囲を広く指すことを意図されている。これらの用語を含む記述は、本明細書に記載された主題を限定するものと、または以下のいかなる特許請求項の意味もしくは範囲をも限定するものと理解されるべきではない。さらに、この明細書は、本出願のいかなる特定の部分、段落、記述、または図面において、あらゆる請求項によってカバーされる主題を説明または限定しようと努めるものではない。本主題は、明細書全体、すべての図面、および以下のあらゆる請求項に言及することによって理解されるべきである。本発明は、他の構成が可能であり、様々な方法で実施され、または実行されることが可能である。また、本明細書で使用される表現および用語は、説明のためのものであり、限定するものと見なされるべきではないことが、理解される。
【００１２】
ここで、本発明の詳細を、単に例として、本発明を例示する添付図面を参照して論じる。図面において、類似の特徴または構成要素は、同様の参照番号によって言及される。本発明をより良く理解し、かつ見やすくするため、ドア、および任意の内部または外部の防護物は、図面から省略されている。
【００１３】
本明細書での「含む」、「有する」、および「備える」、ならびにこれらの変形の使用は、その後に列挙される項目およびその等価物、ならびに追加の項目を包含するものとみなされる。以下に、図面を説明する際、上部、下部、上方、下方、後方、底部、頂部、前、後などの方向に言及する場合があるが、これらの言及は、便宜上、図面に対して（通常、見られるように）示されている。これらの方向は、文字通りに解釈されること、またはいかなる形式においても、本発明を限定されることを意図されていない。さらに、「第１」、「第２」、「第３」などの用語は、説明の目的で本明細書で使用されており、重要性または有意性を示す、または暗示することを意図されていない。
【００１４】
図１は、機能試験機である標準的なロール試験機械２を示す。この機械は、ベース４を備え、そのベース上で、スライド６が、方向Ｘにレール８上を直線的に移動可能である。スライドプレート１０が、スライド６に取り付けられ、好適な心棒１２が、プレート１０上に位置決めされている。マスター歯車１４が、軸Ｔの周りを回転するための工作物保持心棒１２に取り付けられ、その軸は、スライド６およびレール８の配列に起因する浮動軸である。被加工物１６が、固定軸Ｗの周りを回転するための好適な工作物保持心棒１８に取り付けられている。軸ＷとＴとの間の直線変位は、２つの歯車１４、１６が噛み合って回転しているときに測定される。マスター歯車および被測定歯車は、通常、反転しているが、どちらかの配向でも測定することができる。
【００１５】
図２は、歯車、工具、および他の種類の複雑な形状の被加工物、特に、以下に限定されないが、歯を備える被加工物の分析測定および検査のための、コンピュータ制御された歯車測定機械（ＧＭＭ）２２の一例を示す。機械２２は、ベース２４、被加工物スピンドル支持ベース２６、および被加工物スピンドル２８を備える。当業者ならば理解されるように、平歯車またははすば歯車などの被加工物は、好適な工作物保持器材（図示せず）を介してスピンドル２８上に位置決めされている。被加工物は、被加工物の軸Ｐの周りの方向Ｗにも回転可能である。必要に応じて、心押し台支柱３０および心押し台３２が、鉛直方向Ｚに支柱３０の高さに沿って調節可能である心押し台３２の高さに含まれてもよい。
【００１６】
機械２２は、ベース２４上に設置された鉛直軸支柱３４をさらに含む。鉛直軸支柱３４は、ベース２４上でＹ方向に水平に移動可能である。鉛直サドル３６が、鉛直軸支柱３４上に位置決めされ、支柱３４に沿ってＺ方向に移動可能である。水平スライド３８が、鉛直サドル３６に取り付けられ、プローブアーム４０が、水平スライド３８に取り付けられている。プローブアーム４０は、プローブ軸Ｂに沿ってＸ方向に水平に移動可能であり、プローブが上部に位置決めされているインデックス可能なプローブ支持ヘッド４２を含む。プローブ支持ヘッド４２は、軸Ｂの周り、ならびに軸Ａの周りにインデックス可能であり、軸Ａは、Ｙ方向に伸長し、かつ軸Ｂに垂直に配向している。図２を参照するために、方向Ｘ、Ｙ、およびＺは、互いに相互に垂直であることが望ましく、被加工物軸Ｐは、Ｚ方向に伸長し、プローブ軸Ｂは、Ｘ方向に伸長する。
【００１７】
図２は、プローブ支持ヘッド４２上の触覚プローブ４６の配置をさらに示す。触覚プローブ４６は、通常、一般的にはルビーからなる球形先端４８を含む。プローブ４６は、表面粗さ（すなわち、表面仕上げ）を測定するために被加工物の表面に沿って移動され得るダイアモンド先端付きプローブと交換することができる。別の方法として、バルクハウゼンプローブとして知られるプローブが、研磨がもたらす被加工物表面上の焼損を検出するために、プローブ支持ヘッド４２上に位置決めされてもよい。
【００１８】
本発明の方法および機械は、被加工物の検査および／または測定のための機能試験プラットフォーム上に少なくとも１つの非接触センサを備える。
【００１９】
図３、４、および５は、当業者にとっては既知である機械式、油圧式、または空気圧式心棒などのそれぞれの工作物保持心棒１８および１２上に取り付けられた生産歯車１６（すなわち、被加工物）およびマスター歯車１４を含む本発明の機械５０を示す。生産歯車１６は、マスター歯車１４の左手側または右手側のいずれかに設置されてもよいが、図３には、左側に示されている。歯車１６は、モータ駆動される軸Ｗ上で回転する。マスター歯車１４は、右手側（軸Ｔ）に取り付けられており、モータ駆動されていない。マスター歯車１４の回転は、軸Ｗのための駆動モータ、および生産歯車１６との噛み合いによって提供される。
【００２０】
マスター歯車は、スライド６（Ｘ軸）上にあり、Ｘ軸の方向に移動可能であり、歯車の結合および切り離しを可能にする。切り離しは、手動かまたは自動化手段を介してかのどちらかで、生産歯車１６を取り外し、そして様々な被加工物と交換することができるように、必要とされる。Ｘ軸方向のスライド６の移動を取り込むために、リニアスケール７（図５）が取り付けられている。ロータリエンコーダ（図示せず）が、モータ駆動される生産歯車１６（軸Ｗ）の下に取り付けられて、被加工物歯車の回転移動を取り込む。ロータリエンコーダおよびリニアスケールの入力が取り込まれると、歯車対の回転中に、歯車の相対的な移動（Ｘ方向への）が、被加工物歯車１６の回転位置に対して測定される。場合によっては、被加工物心棒のあらゆる心振れ誤差を測定するために、ＬＶＤＴ（線形電圧変位トランスデューサ）プローブが、含まれてもよい。
【００２１】
図３に示すように、レーザアセンブリ５２などの非接触センサが、機械の左側に位置決めされている。単一のレーザ５４が、調節可能な取り付け機構５８を有する直線的に調節可能なポスト５６の上に取り付けられ、それによって、レーザ５４は、最大３つの直線方向Ｘ、Ｙ、Ｚ（相互に垂直であることが望ましい）に、および最大３つの回転方向、すなわち、Ｘ、Ｙ、およびＺのそれぞれを中心に、移動可能かつ位置決め可能である。言い換えると、レーザ５４は、６つの自由度の移動が可能であることが望ましい。このような調節機能は、歯車の歯のスペースにレーザライン６０を配向させるために好ましく、その調節によって、レーザラインは、隣接する歯の両方の歯フランクに対する歯底から先端までの歯インボリュートの少なくとも一部（すなわち、プロファイル方向）を取り込むことができる。
【００２２】
特定の歯車の幾何学的形状に応じて、レーザはまた、リード方向にも歯車の一部を測定することになる。センサの視野の幅、およびＸ軸を中心とするセンサの回転位置に基づいて、レーザは、リード誤差が判定され得る数ミリメートルの面幅（すなわち、長手方向）、例えば、３〜４ｍｍを見出し得ることになる。非接触センサを配向させる自由度を使って、本発明は、被加工物のプロファイルおよびインデックス特性に関する分析誤差を測定することができる。
【００２３】
レーザセンサ５４は、ロータリエンコーダにより起動されるレーザセンサ独自のコントローラ（図示せず）を有する。レーザコントローラは、レーザデータ、および対応するロータリエンコーダ位置を記録する。このデータ収集は、被加工歯車が回転している間に、行われる。また、測定サイクル中に、ロータリエンコーダおよびレーザデータを読み取り、それらを同期させる別の方法もあり、例えば、ＰＣに接続されたハードウェア装置にそれらの両方の信号を送る方法などもある。
【００２４】
歯車１６および１４が回転している間、レーザ５４は、被加工物歯車１６の全回転中に、点群データを収集する。収集されたデータは、仕分けされて歯車１６の各歯の間隙に関する点データを取り込む。データは、さらに分析されて、各歯フランクのインボリュートおよびインデックス誤差を判定する。このような分析測定のサイクル時間は、ＣＭＭまたはＧＭＭと比較してはるかに高速である。例えば、３１個の歯を有する自動車用ピニオンの場合、すべての歯のインデックスおよびインボリュート試験は、約１０秒以内に測定される。ちなみに、ＣＭＭまたはＧＭＭにおける同じピニオンおよび測定の場合の典型的なサイクル時間は、少なくとも１３０秒である。
【００２５】
本発明は、ダブルフランク試験に関して説明されたが、本発明は、また、シングルフランク試験にも同様に適用可能である。さらに、１つの非接触センサ（例えば、レーザ）について説明されたが、２つ以上の非接触センサが、機械上に含まれてもよい。例えば、２つのレーザが、同じ機械プラットフォーム上に取り付けられ、その結果、各レーザが、歯車の別個のフランク（すなわち、右フランクおよび左フランク）に配向されてインデックスおよびプロファイルデータを収集することができる。２つのレーザの配列は、歯車の深さまたはスペースが、１つのレーザの範囲を超えて増える場合には、特に有利である。
【００２６】
２つ以上のレーザが、異なる高さで取り付けられ、歯車の歯の両側の一部の歯面また歯面全体を取り込んでもよい。２つのレーザは、同じポスト５６の異なる高さに取り付けられてもよい。一般に、最大４つのレーザがあれば、典型的な自動車用ピニオン歯車の場合には十分であるが、レーザの数量は、歯車の寸法に基づいて増やしてもよい。例えば、２つのポストのそれぞれに２つのレーザが取り付けられた場合、おおむね十分であり得る。すべてのレーザは、歯車が回転している間中、歯車の歯の異なる部分からデータを取り込む。組み合わされたデータは、同期および分析されてすべての歯の点群を取得し、その点群は、さらに分析されて、インデックス、リード、およびインボリュートのデータを取得する。
【００２７】
レーザはまた、被加工物に対して移動されてもよく、その結果、歯車の歯の両側の歯面の一部または全体が、レーザによってスキャンされ、そして取り込まれ得る。前述のように、複数のレーザを使用するか、またはレーザと被加工物との間の相対的な運動を導入するかのいずれかによって、深さ（プロファイル）および面幅（リード）の両方向における歯車の歯の両側の歯面の一部（例えば、８０〜９０％）または全体に対する点群を取り込むことができる。
【００２８】
図６は、２つのポスト５６、５７が機械５１上に含まれている、図３〜５の改良版である実施形態を示す。２つの非接触センサ５４、５５（例えば、レーザ）が、それらのそれぞれのレーザライン６０、６１を使用して被加工物１６の歯面をスキャンするために、それぞれの調節可能な取り付け機構５８、５９を介して、それぞれのポスト５６、５７に取り付けられている。上述したように、２つのレーザは、各ポストの上に取り付けられてもよく、それゆえに、図６は、また、被加工物１６上に方向付けられた４つのレーザを含む機械を表しているものとして理解されてもよい。
【００２９】
図に示すように、非接触センサ５４の配向および位置決めは、手動で設定されてもよく、または機械コンピュータ制御の制御下にあってもよい。非接触センサ、または複数のセンサは、測定中、静止したままであってもよく、または被加工物の一部の面幅（例えば、８０〜９０％）、もしくは完全な面幅（すなわち、歯の長さ）をスキャンしながら運動するように（例えば、Ｚ方向に）設定されてもよい。
【００３０】
非接触センサまたは複数の非接触センサと、被加工物との間の相対的な位置決めは、被加工物の一部のプロファイルまたは完全なプロファイル（すなわち、インボリュートプロファイル）をスキャンするように固定されてもよい。また、スキャン中の、各センサまたは複数のセンサと被加工物との間のＸおよび／またはＹ方向の相対運動を利用して、一部のプロファイルのスキャン領域を変更し、または被加工物の歯面の完全なプロファイルのスキャンを一部のプロファイル（すなわち、インボリュートプロファイル）のスキャンに変更することができる。例えば、完全なプロファイルは、その両端部で、および歯の中央でスキャンされてもよく、プロファイルのより少ない量（例えば、７０〜８０％）が、歯の中央と端部との間の領域でスキャンされてもよい。
【００３１】
本発明では、前述したように、被加工物のインデックス、リード、およびプロファイル測定値を判定することに加えて、少なくとも１つの非接触センサを用いて被加工物をスキャンすることによって、歯厚、歯車の歯の角度位置、先端および／もしくは歯底の直径、ならびに面取り幅をさらに提供することもできる。
【００３２】
また、ロール試験（シングルまたはダブルフランク試験）および非接触測定の両方は、同時に、または独立して行われてもよいことも留意されるべきである。さらに、非接触分析測定のみ場合、被加工物のみが必要である。非接触測定のみを実行する場合、噛み合い歯車（例えば、マスター歯車）は、必要としない。
【００３３】
本発明は、また、分析試験および機能試験の測定値をも組み合わせる。測定は単一の機械プラットフォーム上で行われるため、２つの異なる方法によって収集された測定値データを組み合わせることができる。これにより、ユーザはこれらの試験を個別に実行する必要がないため、サイクル時間が節約される。
【００３４】
本発明は、カメラまたはシャドウグラフプロジェクタなどの他の種類の非接触センサに拡張することができる。
【００３５】
本発明は、好ましい実施形態を参照しながら説明されてきたが、本発明は、これらの特定の実施形態に限定されないことを理解されるべきである。本発明は、添付の特許請求の範囲の趣旨および範囲を逸脱することなく、本主題が属する、当業者にとっては明らかであると思われる変更を含むことが意図されている。
【図１】
2021500542.tif 000003
【図２】
2021500542.tif 000004
【図３】
2021500542.tif 000005
【図４】
2021500542.tif 000006
【図５】
2021500542.tif 000007
【図６】
2021500542.tif 000008
【国際調査報告】
2021500542.tif 000009
2021500542.tif 000010